(57)【特許請求の範囲】
【請求項１】
遊技球が流下する遊技領域が画成された遊技盤と、前記遊技領域を流下する遊技球が通入可能な入賞口を有する入賞装置と、前記入賞装置に設けられ、前記入賞口を開閉可能な開閉部材と、前記遊技盤に設けられ、駆動手段の駆動により第１位置および第２位置の間を動作される可動部材と、前記駆動手段を駆動制御する制御手段とを備えた遊技機において、
前記入賞装置の入賞口に連通するよう設けられた第１の球排出通路と、
前記可動部材に設けられ、該可動部材が第１位置に保持された状態で前記第１の球排出通路の下流端部に連通し、該第１の球排出通路を介して流入した遊技球を前記遊技盤の外部へ排出する第２の球排出通路とを備え、
前記開閉部材が前記入賞口を開放した状態では、前記可動部材を前記第１位置に保持して前記第２の球排出通路を前記入賞口に連通させるよう前記制御手段が駆動手段を駆動制御し、該開閉部材が入賞口を閉鎖した状態では、該制御手段の制御に基づいて可動部材が第１位置から第２位置へ移動されるよう構成されると共に、
前記第１の球排出通路内を遊技球が通過可能な許容位置および該第１の球排出通路の遊技球の通過を規制する規制位置に変位可能な球通出切替手段が設けられ、
前記可動部材が第１位置にある状態では、前記球通出切替手段が許容位置に保持され、該可動部材を第１位置から第２位置に移動した際に、該球通出切替手段が規制位置に変位されて遊技球の通過を規制するよう構成された
ことを特徴とする遊技機。
【請求項２】
遊技球が流下する遊技領域が画成された遊技盤と、前記遊技領域を流下する遊技球が通入可能な入賞口を有する入賞装置と、前記入賞装置に設けられ、前記入賞口を開閉可能な開閉部材と、前記遊技盤に設けられ、駆動手段の駆動により第１位置および第２位置の間を動作される可動部材と、前記駆動手段を駆動制御する制御手段とを備えた遊技機において、
前記入賞装置の入賞口に連通するよう設けられた第１の球排出通路と、
前記可動部材に設けられ、該可動部材が第１位置に保持された状態で前記第１の球排出通路の下流端部に連通し、該第１の球排出通路を介して流入した遊技球を前記遊技盤の外部へ排出する第２の球排出通路とを備え、
前記開閉部材が前記入賞口を開放した状態では、前記可動部材を前記第１位置に保持して前記第２の球排出通路を前記入賞口に連通させるよう前記制御手段が駆動手段を駆動制御し、該開閉部材が入賞口を閉鎖した状態では、該制御手段の制御に基づいて可動部材が第１位置から第２位置へ移動されるよう構成されると共に、
前記入賞装置の入賞口に通入した遊技球を検出する第１の球検出手段と、前記第１の球排出通路を通出した遊技球を検出する第２の球検出手段とを備え、
前記第２の球検出手段が検出した遊技球数が前記第１の球検出手段が検出した遊技球数に一致した場合に、前記制御手段の制御に基づいて前記可動部材が第１位置から第２位置へ動作するよう構成され、該第２の球検出手段が検出した遊技球数が第１の球検出手段が検出した遊技球数に一致しない場合には、該可動部材を第１位置に保持するよう制御手段が駆動制御するよう構成された
ことを特徴とする遊技機。
【請求項３】
前記第１の球排出通路内を遊技球が通過可能な許容位置および該第１の球排出通路の遊技球の通過を規制する規制位置に変位可能な球通出切替手段が設けられ、
前記可動部材が第１位置にある状態では、前記球通出切替手段が許容位置に保持され、該可動部材を第１位置から第２位置に移動した際に、該球通出切替手段が規制位置に変位されて遊技球の通過を規制するよう構成された請求項２記載の遊技機。
【請求項４】
前記可動部材を第１位置に保持する保持手段が設けられた請求項１〜３の何れか一項に記載の遊技機。
【発明の詳細な説明】
【技術分野】
【０００１】
本発明は、駆動手段の駆動により可動部材を動作させて演出を行なうよう構成された遊技機に関するものである。
【背景技術】
【０００２】
代表的な遊技機であるパチンコ機は、遊技盤の盤面に画成した遊技領域の略中央位置に枠状の装飾部材(所謂センター役物)が配設されており、この装飾部材の開口部を介して複数の図柄を変動表示して図柄変動ゲームを行なう液晶式やドラム式等の図柄表示装置を後方から臨ませると共に、該遊技盤における装飾部材の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動ゲームに伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。また、多くのパチンコ機では、装飾部材に、所要の動作を行なう可動部材を備えた可動式の演出装置(可動演出装置)が配設されており、可動部材を図柄表示装置での図柄変動ゲームに合わせて動作させることにより演出効果の向上を図っている(特許文献１参照)。更に、遊技盤の上部位置に第２の特別入賞装置等の入賞装置を備えて、遊技性の多様化を図るようにしたパチンコ機も提案されている(特許文献２参照)。
【先行技術文献】
【特許文献】
【０００３】
【特許文献１】特開２００９−８９７６２号公報
【特許文献２】特開２００８−１２５７８３号公報
【発明の概要】
【発明が解決しようとする課題】
【０００４】
パチンコ機において、入賞装置に入賞したパチンコ球は、最終的には遊技店等に備えられた球回収設備に回収する必要があるため、特許文献２のように遊技盤の上部位置に入賞装置を設けた場合には入賞装置に入賞したパチンコ球を排出案内する球排出通路が長大化する傾向にある。また、遊技盤の上部位置に入賞装置を設けつつ可動演出装置を設ける場合には、入賞したパチンコ球の確実な排出を確保する必要性から、球排出通路の経路を優先的に決定し、該球排出通路の設置位置との関係で可動部材が接触しない位置に設置されることになり、可動部材の配設位置が制限されたり小型の可動部材を採用する必要が生じて、パチンコ機で実現可能な遊技演出の選択の幅が限定的になる欠点が指摘される。また、可動部材の可動範囲も球排出通路と干渉しない範囲に制限されるため、パチンコ機設計上の大きな制約にもなっていた。
そこで本発明は、前述した従来の技術に係る遊技機に内在する前記問題に鑑み、これを好適に解決するべく提案されたものであって、遊技盤に球排出用の球通路を設けつつ、可動部材の配置の自由度を向上し得る遊技機を提供することを目的とする。
【課題を解決するための手段】
【０００５】
前記課題を克服し、所期の目的を達成するため、本願の請求項１に係る発明は、
遊技球が流下する遊技領域(18a)が画成された遊技盤(17)と、前記遊技領域(18a)を流下する遊技球が通入可能な入賞口(29a)を有する入賞装置(29)と、前記入賞装置(29)に設けられ、前記入賞口(29a)を開閉可能な開閉部材(29b)と、前記遊技盤(17)に設けられ、駆動手段(50)の駆動により第１位置および第２位置の間を動作される可動部材(44)と、前記駆動手段(50)を駆動制御する制御手段(31)とを備えた遊技機において、
前記入賞装置(29)の入賞口(29a)に連通するよう設けられた第１の球排出通路(41)と、
前記可動部材(44)に設けられ、該可動部材(44)が第１位置に保持された状態で前記第１の球排出通路(41)の下流端部に連通し、該第１の球排出通路(41)を介して流入した遊技球を前記遊技盤(17)の外部へ排出する第２の球排出通路(69)とを備え、
前記開閉部材(29b)が前記入賞口(29a)を開放した状態では、前記可動部材(44)を前記第１位置に保持して前記第２の球排出通路(69)を前記入賞口(29a)に連通させるよう前記制御手段(31)が駆動手段(50)を駆動制御し、該開閉部材(29b)が入賞口(29a)を閉鎖した状態では、該制御手段(31)の制御に基づいて可動部材(44)が第１位置から第２位置へ移動されるよう構成されると共に、
前記第１の球排出通路(41)内を遊技球が通過可能な許容位置および該第１の球排出通路(41)の遊技球の通過を規制する規制位置に変位可能な球通出切替手段(73)が設けられ、
前記可動部材(44)が第１位置にある状態では、前記球通出切替手段(73)が許容位置に保持され、該可動部材(44)を第１位置から第２位置に移動した際に、該球通出切替手段(73)が規制位置に変位されて遊技球の通過を規制するよう構成されたことを特徴とする。
請求項１の発明によれば、入賞装置の入賞口に連通する第１の球排出通路に連通可能な第２の球排出通路を可動部材に設けることで、入賞装置の入賞口に入賞した遊技球を排出する通路との関係で可動部材の配置位置が制限されることはなく、該可動部材の配置の自由度が格段に向上する。また、入賞装置の入賞口を開閉部材が開放した状態では、第２の球排出通路が第１の球排出通路に連通する第１位置に可動部材が保持されるから、入賞口に入賞した遊技球を遊技盤の外部へ確実に排出することができる。
更に、第１の球排出通路内における遊技球の通過を許容する許容位置および該第１の球排出通路の遊技球の通過を規制する規制位置に変位可能な球通出切替手段を設けて、可動部材が第１位置にある状態では球通出切替手段を許容位置に保持する一方で、当該可動部材を第１位置から第２位置に移動した際には球通出切替手段を規制位置に変位して遊技球の通過を規制するから、開閉部材の開放時に入賞口に入賞した遊技球が第１の球排出通路内に滞留したまま可動部材が動作されても、第２の球排出通路が連通しない状態で第１の球排出通路を遊技球が通出するのを防止でき、入賞口に入賞した遊技球を遊技盤の外部へ確実に排出することが可能となる。
【０００６】
前記課題を克服し、所期の目的を達成するため、本願の請求項２に係る発明は、
遊技球が流下する遊技領域(18a)が画成された遊技盤(17)と、前記遊技領域(18a)を流下する遊技球が通入可能な入賞口(29a)を有する入賞装置(29)と、前記入賞装置(29)に設けられ、前記入賞口(29a)を開閉可能な開閉部材(29b)と、前記遊技盤(17)に設けられ、駆動手段(50)の駆動により第１位置および第２位置の間を動作される可動部材(44)と、前記駆動手段(50)を駆動制御する制御手段(31)とを備えた遊技機において、
前記入賞装置(29)の入賞口(29a)に連通するよう設けられた第１の球排出通路(41)と、
前記可動部材(44)に設けられ、該可動部材(44)が第１位置に保持された状態で前記第１の球排出通路(41)の下流端部に連通し、該第１の球排出通路(41)を介して流入した遊技球を前記遊技盤(17)の外部へ排出する第２の球排出通路(69)とを備え、
前記開閉部材(29b)が前記入賞口(29a)を開放した状態では、前記可動部材(44)を前記第１位置に保持して前記第２の球排出通路(69)を前記入賞口(29a)に連通させるよう前記制御手段(31)が駆動手段(50)を駆動制御し、該開閉部材(29b)が入賞口(29a)を閉鎖した状態では、該制御手段(31)の制御に基づいて可動部材(44)が第１位置から第２位置へ移動されるよう構成されると共に、
前記入賞装置(29)の入賞口(29a)に通入した遊技球を検出する第１の球検出手段(80)と、前記第１の球排出通路(41)を通出した遊技球を検出する第２の球検出手段(81)とを備え、
前記第２の球検出手段(81)が検出した遊技球数が前記第１の球検出手段(80)が検出した遊技球数に一致した場合に、前記制御手段(31)の制御に基づいて前記可動部材(44)が第１位置から第２位置へ動作するよう構成され、該第２の球検出手段(81)が検出した遊技球数が第１の球検出手段(80)が検出した遊技球数に一致しない場合には、該可動部材(44)を第１位置に保持するよう制御手段(31)が駆動制御するよう構成されたことを特徴とする。
請求項２の発明によれば、入賞装置の入賞口に連通する第１の球排出通路に連通可能な第２の球排出通路を可動部材に設けることで、入賞装置の入賞口に入賞した遊技球を排出する通路との関係で可動部材の配置位置が制限されることはなく、該可動部材の配置の自由度が格段に向上する。また、入賞装置の入賞口を開閉部材が開放した状態では、第２の球排出通路が第１の球排出通路に連通する第１位置に可動部材が保持されるから、入賞口に入賞した遊技球を遊技盤の外部へ確実に排出することができる。
更に、第１の球検出手段が検出した入賞装置の入賞口に通入した遊技球数と、第２の球検出手段が検出した第１の球排出通路を通出した遊技球数とが一致する場合に、可動部材が第１位置から第２位置への動作が許容され、該第１の球検出手段が検出した遊技球数と第２の球検出手段が検出した遊技球数とが一致しない場合には、該可動部材を第１位置に保持するから、開閉部材の開放時に入賞口に入賞した遊技球が第１の球排出通路内に滞留したまま可動部材が動作されるのを防止して、入賞口に入賞した遊技球を遊技盤の外部へ確実に排出することが可能となる。
【０００７】
請求項３に係る発明では、前記第１の球排出通路(41)内を遊技球が通過可能な許容位置および該第１の球排出通路(41)の遊技球の通過を規制する規制位置に変位可能な球通出切替手段(73)が設けられ、
前記可動部材(44)が第１位置にある状態では、前記球通出切替手段(73)が許容位置に保持され、該可動部材(44)を第１位置から第２位置に移動した際に、該球通出切替手段(73)が規制位置に変位されて遊技球の通過を規制するよう構成されたことを要旨とする。
請求項３の発明によれば、第１の球排出通路内における遊技球の通過を許容する許容位置および該第１の球排出通路の遊技球の通過を規制する規制位置に変位可能な球通出切替手段を設けて、可動部材が第１位置にある状態では球通出切替手段を許容位置に保持する一方で、当該可動部材を第１位置から第２位置に移動した際には球通出切替手段を規制位置に変位して遊技球の通過を規制するから、開閉部材の開放時に入賞口に入賞した遊技球が第１の球排出通路内に滞留したまま可動部材が動作されても、第２の球排出通路が連通しない状態で第１の球排出通路を遊技球が通出するのを防止でき、入賞口に入賞した遊技球を遊技盤の外部へ確実に排出することが可能となる。
【０００８】
請求項４に係る発明では、前記可動部材(44)を第１位置に保持する保持手段(78,79)が設けられたことを要旨とする。
請求項４の発明によれば、前記可動部材を保持手段により第１位置に保持するよう構成したから、遊技機に振動等が作用しても可動部材が第１位置から位置ズレするのを防止でき、入賞口に入賞した遊技球を遊技盤の外部へ確実に排出することが可能となる。
【発明の効果】
【０００９】
本発明に係る遊技機によれば、入賞装置の入賞口に入賞した遊技球を排出する通路との関係で可動部材の配置位置が制限されることはなく、該可動部材の配置の自由度を格段に向上することができる。
【図面の簡単な説明】
【００１０】
【図１】本発明の好適な実施例に係るパチンコ機を示す正面図である。
【図２】実施例に係る遊技盤を、可動部材が第１位置にある状態で示す正面図である。
【図３】実施例に係る板部材の背面図である。
【図４】実施例に係る裏ユニットから図柄表示装置を取外した状態を前側から視た斜視図である。
【図５】実施例に係る裏ユニットを、可動部材が第１位置にある状態で示す正面図である。
【図６】実施例に係る板部材から裏ユニットのみを取外した状態を、可動部材が第１位置にある状態で示す要部背面図である。
【図７】実施例に係る板部材から裏ユニットのみを取外した状態を、可動部材が第１位置にある状態で後側から視た要部斜視図である。
【図８】実施例に係る可動演出装置および各通路を画成する部材を前側から視た分解斜視図である。
【図９】実施例に係る可動演出装置および各通路を画成する部材を後側から視た分解斜視図である。
【図１０】実施例に係る第１の球排出通路および第２の球排出通路を画成する部材を前側から視た状態で示す分解斜視図である。
【図１１】実施例に係る第１の球排出通路および第２の球排出通路を画成する部材を後側から視た状態で示す分解斜視図である。
【図１２】実施例に係る可動演出装置の支持部材および第３の球排出通路を画成する部材を前側から視た状態で示す分解斜視図である。
【図１３】実施例に係る可動演出装置の支持部材および第３の球排出通路を画成する部材を後側から視た状態で示す分解斜視図である。
【図１４】実施例に係る可動部材および該可動部材に配設される各種部材を前側から視た状態で示す分解斜視図である。
【図１５】実施例に係る可動部材および該可動部材に配設される各種部材を後側から視た状態で示す分解斜視図である。
【図１６】実施例に係る遊技盤を、可動部材が第２位置にある状態で示す要部正面図である。
【図１７】実施例に係る裏ユニットを、可動部材が第２位置にある状態で示す要部正面図である。
【図１８】実施例に係る板部材から裏ユニットのみを取外した状態を、可動部材が第２位置にある状態で示す要部背面図である。
【図１９】実施例に係る板部材から裏ユニットのみを取外した状態を、可動部材が第２位置にある状態で後側から視た要部斜視図である。
【図２０】実施例に係る可動部材の第１位置における球通出切替手段と各通路との関係を示す要部背面図である。
【図２１】実施例に係る可動部材の第２位置における球通出切替手段と各通路との関係を示す要部背面図である。
【図２２】実施例に係る可動演出装置および第２球通路部を、可動部材の第１位置において後側から視た状態で示す斜視図である。
【図２３】実施例に係る可動演出装置および第２球通路部を、可動部材の第２位置において後側から視た状態で示す斜視図である。
【図２４】実施例に係るパチンコ機の可動演出装置に係る主要な制御ブロック図である。
【図２５】第１の別実施例に係るパチンコ機の要部を示す説明図である。
【図２６】第２の別実施例に係るパチンコ機の要部を示す説明図である。
【発明を実施するための形態】
【００１１】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１２】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１７(図２参照)が着脱可能に保持された本体枠としての中枠１２が開閉および着脱可能に組付けられて、該遊技盤１７の裏側に対して、各種図柄を変動表示可能な図柄表示装置１３が着脱し得るよう配設されている。また、前記中枠１２の前面側には、前記遊技盤１７を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前記前枠１４の下部位置に、パチンコ球を貯留する上球受け皿１６が一体的に組付けられており、前枠１４の開閉に合わせて上球受け皿１６も一体的に開閉するよう構成される。また、前記中枠１２の裏側には、遊技に供されたパチンコ球を遊技店側に設けた球回収設備に排出する球回収部(図示せず)が設けられている。
【００１３】
(遊技盤について)
前記中枠１２に配設される前記遊技盤１７は、図２,図３,図４または図５に示すように、前面(盤面)にパチンコ球が流下可能な遊技領域１８ａが画成され、合板等の木製からなる平板状の板部材１８と、該板部材１８の裏面に組付けられて前記図柄表示装置１３が着脱可能に配設されると共に、後述する可動演出装置３６や各種発光装置３７等の遊技部品が配設される合成樹脂材で形成された裏ユニット１９とから構成され、該裏ユニット１９に形成された前後に開口する開口部１９ａを介して図柄表示装置１３の表示部を前面側から視認し得るよう構成されている。裏ユニット１９に形成される開口部１９ａは、図４や図５に示す如く、該裏ユニット１９の上下および左右幅の大部分が開口する大型の開口部である。ここで、前記板部材１８および裏ユニット１９は、外郭形状が略整合する大きさおよび形状に形成されて、該板部材１８と裏ユニット１９とを組付けた状態で板部材１８の裏面を裏ユニット１９で全面的に覆うよう構成される。
【００１４】
(板部材について)
図２に示すように、前記板部材１８の前面には、円弧状に形成した案内レール２０が配設されると共に、該案内レール２０の右方位置に、左端縁が右方に凹む円弧状に形成した第１盤面飾り部材２１が配設されている。そして、前記案内レール２０および第１盤面飾り部材２１により前記遊技領域１８ａが略円形状に画成され、該遊技領域１８ａに、前記中枠１２に配設された図示しない打球発射装置から発射されたパチンコ球が遊技領域１８ａ内に打ち出されて、該遊技領域１８ａ内をパチンコ球が流下して遊技が行なわれるようになっている。なお、打球発射装置から発射されたパチンコ球は、板部材１８の下側から左側に案内レール２０で案内されて、遊技領域１８ａの左上部に打ち出される。また、前記板部材１８の遊技領域１８ａ内には、多数の遊技釘が植設されており、該遊技領域１８ａを流下するパチンコ球は、遊技釘との接触により流下方向が不規則に変更させられるよう構成してある。なお、板部材１８の盤面には、前記案内レール２０の左方(遊技領域１８ａの外側)の上下位置に第２盤面飾り部材２２が夫々が配設されている。
【００１５】
前記板部材１８には、後述する装飾部材２６の配設位置より下方位置に、前記遊技領域１８ａを流下するパチンコ球が入賞可能な始動入賞装置２３や第１の特別入賞装置２４が配設されている。始動入賞装置２３は、前記遊技領域１８ａを流下するパチンコ球が入賞可能な上下の始動入賞口(入賞口)２３ａが設けられる。そして、前記始動入賞装置２３の始動入賞口２３ａへ入賞したパチンコ球が始動入賞センサ(図示せず)で検出されることで、図柄表示装置１３の表示部で図柄変動が開始されると共に、所定数(例えば５個)のパチンコ球が賞球として前記上下の球受け皿１５,１６に払い出される。なお、下側の始動入賞口２３ａを挟む左右位置には、相互に近接および離間するよう揺動可能な一対の羽根部材(開閉部材)２３ｂ,２３ｂが設けられており、裏側に設けたソレノイド等の駆動手段の駆動により羽根部材２３ｂ,２３ｂを揺動することで、下側の始動入賞口２３ａが開閉されるようになっている。
【００１６】
前記第１の特別入賞装置２４は、入賞口２４ａが開閉扉(開閉部材)２４ｂで常には閉鎖されており、前記図柄表示装置１３での図柄変動の結果、図柄表示装置１３に所定の図柄組み合わせ(例えば同一図柄の三つ揃い等)で図柄が停止表示されることで所謂「大当り」が発生し、これにより開閉扉２４ｂが開放するよう作動制御されて、入賞口２４ａへの入賞により多数の賞球を獲得し得るようになっている。なお、板部材１８には、第１の特別入賞装置２４の左右両側に、常に入賞口を開放している普通入賞装置２５が夫々が配設される。
【００１７】
(装飾部材について)
前記板部材１８には、図３に示す如く、前後に貫通する貫通孔１８ｂが形成されており、該貫通孔１８ｂに対して前後に開口する枠状の装飾部材(所謂センター役物)２６が嵌め込まれるようにして着脱自在に配設される。そして、前記裏ユニット１９の開口部１９ａから臨む前記図柄表示装置１３の表示部は、装飾部材２６における前後に開口する窓口２６ａを介して板部材１８(遊技盤１７)の前側に露出して、該図柄表示装置１３の表示部で展開される図柄変動演出を前側から視認し得るようになっている。
【００１８】
前記装飾部材２６には、上縁部から左右両縁部に亘り、板部材１８の前面より前方に突出する円弧状の庇状部２６ｂが設けられており、前記遊技領域１８ａに打ち出されたパチンコ球を外周部の庇状部２６ｂで案内し得ると共に、該パチンコ球が装飾部材２６の窓口２６ａを横切って流下するのを庇状部２６ｂで規制している。また装飾部材２６には、図２に示す如く、窓口２６ａの下側に、ステージ２７が配設されると共に、窓口２６ａの左側に、遊技領域１８ａに開口して該遊技領域１８ａを流下するパチンコ球を取込んでステージ２７に案内する球導入部２８が設けられ、該球導入部２８からステージ２７に通出されたパチンコ球は、ステージ２７上を左右に転動した後に、前記各入賞装置２３,２４,２５が配設されている遊技領域１８ａに排出される。
【００１９】
(第２の特別入賞装置について)
図２に示すように、前記装飾部材２６の上部位置には、前記図柄表示装置１３での図柄の変動結果に応じて入賞口２９ａが開放することで前記遊技領域１８ａを流下するパチンコ球が入賞可能な第２の特別入賞装置(入賞装置)２９が設けられている。第２の特別入賞装置２９は、前記装飾部材２６の上部位置に、左方向に開口するよう開設された入賞口２９ａをフラップ状の開閉部材２９ｂにより閉鎖するよう構成されており、該開閉部材２９ｂが左方向に傾倒することで、該入賞口２９ａが遊技領域１８ａ内に開口するようになっている。この入賞口２９ａには、後述する第１球通路部３８の一端が接続される。
【００２０】
前記第２の特別入賞装置２９の入賞口２９ａは、前記開閉部材２９ｂにより常には閉鎖されており、前記図柄表示装置１３での図柄変動の結果、前記第１の特別入賞装置２４の開閉扉２４ｂを開放させる前記所定の図柄組み合わせ以外の特定の図柄組み合わせ(例えば同一図柄の三つ揃い等)で図柄が図柄表示装置１３に停止表示されることで発生する「大当り」により、該開閉部材２９ｂを開放するよう駆動手段３０が制御手段３１(図２４参照)で駆動制御されて、入賞口２９ａへのパチンコ球の入賞を許容するようになっている。そして、前記第２の特別入賞装置２９の入賞口２９ａに入賞したパチンコ球を、図示しない球検出センサが検出することで、遊技者が多数の賞球を獲得し得るようになっている。すなわち、実施例に係るパチンコ機１０では、「大当り」の発生時に開放可能な２つの特別入賞装置２４,２９が配設されており、「大当り」の発生条件に応じて、第１の特別入賞装置２４および第２の特別入賞装置２９の何れかの入賞口２４ａ,２９ａが開放されるようになっている。ここで、前記第２の特別入賞装置２９は、装飾部材２６の左上部位置に設けられていることから、前記第１の特別入賞装置２４に較べて、遊技領域１８ａの左上部に打ち出されたパチンコ球が入賞し易くなっている。
【００２１】
(裏ユニットについて)
前記裏ユニット１９は、図４,図５に示すように、前方に開口する矩形箱状に形成された箱状本体３２と、該箱状本体３２の開口前端部に形成されて当該箱状本体３２の開口外側へ延出し、前記板部材１８の裏面に当接する取付部３３とから構成される。箱状本体３２は、前記板部材１８に対向する矩形板状に形成された対向面部３４と、該対向面部３４における上下左右の各縁部から前方に延出する画壁部３５とから前方に開口するよう形成されて、各画壁部３５の前端部から箱状本体３２の開口外側へ向けて延出するよう前記取付部３３が形成されている。そして、取付部３３の前面を板部材１８の裏面に当接した状態で、ネジを介して板部材１８に裏ユニット１９が着脱自在に固定される。
【００２２】
前記対向面部３４に、上下および左右幅の大部分が開口する大型の前記開口部１９ａが形成されており、以下の説明において、対向面部３４における開口部１９ａに対する上下左右に位置する部分について、上対向面部３４ａ、下対向面部３４ｂ、左対向面部３４ｃ、右対向面部３４ｄと夫々指称するものとする。
【００２３】
前記板部材１８の裏側に裏ユニット１９を取付けた状態で、該裏ユニット１９の対向面部３４と板部材１８との間に所要の空間が画成され、前記左対向面部３４ｃに設けられる前記可動演出装置３６が該空間に臨むよう構成される。また、上下および右の各対向面部３４ａ,３４ｂ,３４ｄに、発光基板の前面に複数のＬＥＤを実装した各種発光装置３７が配設される。各発光装置３７は、板部材１８に配設した前記装飾部材２６に形成された光透過部の後側に臨むよう位置決めされ、ＬＥＤを発光することで、前記図柄表示装置１３の表示部を取り囲む装飾部材２６の光透過部を裏側から照らすことで発光演出を行ない得るよう構成される。
【００２４】
(第１の球排出通路について)
前記装飾部材２６の内周端縁(開口上縁部)、すなわち前記庇状部２６ｂの内側には、右端(上流端部)が前記第２の特別入賞装置２９の入賞口２９ａに連通する第１球通路部３８が左右方向に延在するよう配設されている。第１球通路部３８は、左端に向けて下方傾斜するように延在し(図２参照)、前記板部材１８の後端より後側に臨む左端部において後側に向けて第１接続口３８ａが開口するよう構成される(図３参照)。また、前記裏ユニット１９における左対向面部３４ｃには、図５に示す如く、前記可動演出装置３６の配設位置より上側に、第１球通路部３８の第１接続口３８ａに第２接続口３９ａを連通する状態で第２球通路部３９が配設される。実施例では、第１球通路部３８および第２球通路部３９から第１の球排出通路部材４０が構成され、該第１の球排出通路部材４０によって、前記第２の特別入賞装置２９の入賞口２９ａと、可動演出装置３６に形成される後述の第２の球排出通路６９とを連通する第１の球排出通路４１が画成される。
【００２５】
前記第２球通路部３９は、裏ユニット１９の左対向面部３４ｃに配設される第１通路画成部材４２と、該第１通路画成部材４２に前側から配設される第２通路画成部材４３とから構成され(図８,図９,図１０,図１１参照)、両通路画成部材４２,４３間に、パチンコ球を通過可能な第１の球排出通路４１の後半部分が画成される。第２球通路部３９には、上端右側において前側に開口する前記第２接続口３９ａが形成されて、該第２接続口３９ａが、第１の球排出通路４１の前半部分が画成される前記第１球通路部３８における左端部において後側に開口する前記第１接続口３８ａに連通するよう構成される。また、第２球通路部３９における下流端部となる左下端部に画成されて下方に開口する第１の球排出通路４１の球出口４１ａは、前記可動演出装置３６における後述する可動部材４４の第１位置において第２の球排出通路６９の球入口６９ａに連通可能な位置に臨んでいる(図５,図６,図７,図２０参照)。なお、実施例では、前記第１球通路部３８における上流端で前記入賞口２９ａと連通する開口部が球入口となる。
【００２６】
(可動演出装置について)
前記裏ユニット１９の左対向面部３４ｃに配設される前記可動演出装置３６は、図５または図１７に示す如く、左対向面部３４ｃに対して左右方向に揺動可能に配設された可動部材４４と、該可動部材４４を揺動するよう駆動する駆動機構４５とを備え、駆動機構４５によって可動部材４４は、前記図柄表示装置１３における表示部の前側から退避する第１位置(図５)と表示部の前側に臨む第２位置(図１６,図１７)との間を揺動するよう構成される。実施例では、可動部材４４は、通常時には裏ユニット１９の左開口端に沿って上下方向に延在する姿勢となる第１位置に保持され、第１位置において可動部材４４の前側には前記板部材１８および装飾部材２６が位置するよう構成され、該板部材１８および装飾部材２６で可動部材４４の全体が覆われて隠れるようになっている。そして、可動部材４４が第１位置から第２位置に移動することで、装飾部材２６の窓口２６ａの左端縁部から図柄表示装置１３における表示部の前側に現われるよう構成される。
【００２７】
(支持部材について)
前記左対向面部３４ｃの下端部側に、前記可動部材４４を揺動可能に支持する支持部材４６が配設される。支持部材４６は、前記裏ユニット１９の左対向面部３４ｃに取付けられる取付ベース体４７と、該取付ベース体４７の前面側に取付けられるカバー体４８とから構成されている。図８,図９,図１２または図１３に示す如く、取付ベース体４７は、平板状に形成された本体壁４７ａの外周縁部に前方に向けて側壁４７ｂを突設した前方に開口する箱状に形成されると共に、カバー体４８は平板状に形成され、取付ベース体４７における側壁４７ｂの前端にカバー体４８を当接して取付けることで、取付ベース体４７とカバー体４８との間に収容空間が画成され、該収容空間に可動部材４４の後述する可動基部５５が回動可能に収容される。なお、取付ベース体４７における本体壁４７ａの上側の周縁部は側壁４７ｂが所定範囲で切欠かれており、該切欠部分とカバー体４８との間に開口部４６ａが形成され、該開口部４６ａを介して可動部材４４が収容空間から外方に延出するよう構成される。
【００２８】
前記取付ベース体４７における本体壁４７ａとカバー体４８との間に支持軸４９が配設され、該支持軸４９に、前記可動部材４４の可動基部５５が回転可能に枢支される。また取付ベース体４７の本体壁４７ａには、図５および図１７に示す如く、可動部材４４を揺動させる駆動手段としての駆動モータ５０が配設されると共に、該駆動モータ５０の出力軸に連結された駆動ギヤ５０ａに噛合する従動ギヤ５１が本体壁４７ａに回転可能に枢支されており、該従動ギヤ５１が、可動基部５５に形成した後述するギヤ部５５ｂに噛合している。すなわち、駆動モータ５０を正転および逆転することで、従動ギヤ５１とギヤ部５５ｂとの噛合作用によって可動部材４４は第１位置と第２位置との間を揺動するよう構成される。実施例では、前記第２の特別入賞装置２９の開閉部材２９ｂが入賞口２９ａを開放した状態では、可動部材４４を第１位置に保持するよう前記制御手段３１により駆動モータ５０が制御され、該開閉部材２９ｂが入賞口２９ａを閉鎖した状態では、可動部材４４の第２位置への移動を可能とするよう制御手段３１により駆動モータ５０が制御される。実施例では、駆動モータ５０、駆動ギヤ５０ａ、従動ギヤ５１およびギヤ部５５ｂから、可動部材４４を揺動する駆動機構４５が構成される。
【００２９】
前記取付ベース体４７における本体壁４７ａには、図１２に示す如く、前記支持軸４９の支持位置に近接して前方に突出する案内突部４７ｃが設けられている。また本体壁４７ａの前面には、支持軸４９の支持位置を中心とする円弧状に歯を形成した弧状ラック部５２が、該支持軸４９より上側において所定角度範囲で設けられている。
【００３０】
前記カバー体４８には、図１２および図１３に示す如く、センサ取付部４８ａが設けられ、該センサ取付部４８ａに、前記可動部材４４の移動位置を検出可能な位置検出センサ５３が取付けられ、該位置検出センサ５３から検出信号が前記制御手段３１に出力されるようになっている。この位置検出センサ５３は、実施例では発光素子と受光素子とを備えた光学式センサが採用されるが、光学式センサに限らず、磁気センサやマイクロスイッチ、その他従来公知のセンサを可動部材側に設けられる被検出部に応じて採用することができる。
【００３１】
(可動部材について)
前記可動部材４４は、図８,図９,図１４または図１５に示す如く、略長方形状に形成されたベース部５４における長手方向一端部(下端部)に可動基部５５が配設され、該可動基部５５に穿設した貫通孔５５ａに前記支持部材４６の支持軸４９が挿通されて、当該可動部材４４は支持軸４９を中心として左右方向に揺動可能に構成される。なお、可動基部５５が支持軸４９で支持された状態で、前記ベース部５４が支持部材４６に設けた開口部４６ａから外方(上方)に延出している。可動基部５５の外周縁には、前記支持部材４６の従動ギヤ５１に噛合するギヤ部５５ｂが、貫通孔５５ａを中心とする所定角度範囲で円弧状に形成されている。また可動基部５５には、貫通孔５５ａを中心とする所定角度範囲で円弧孔５５ｃが形成されており、該円弧孔５５ｃに、支持部材４６に設けた前記案内突部４７ｃが挿通される。すなわち、前記駆動モータ５０を駆動して駆動ギヤ５０ａを正転および逆転方向に回転することで、可動基部５５(可動部材４４)は前記支持軸４９を中心として左右方向に揺動し、このとき案内突部４７ｃに沿って円弧孔５５ｃが移動することで可動基部５５が安定して移動するよう案内される。なお、可動基部(可動部材４４)の揺動範囲は、円弧孔５５ｃの周方向長さによって規定され、案内突部４７ｃが円弧孔５５ｃの周方向の端縁に当接することで、それ以上の移動が規制されるようになっている。
【００３２】
前記可動基部５５の前面(支持部材４６のカバー体４８と対向する面)には、前方に延出する被検出部としての検出片５５ｄが形成されている。該検出片５５ｄは、前記位置検出センサ５３の発光素子と受光素子との間に臨み得る位置に設けられており、前記可動基部５５の揺動に伴って該発光素子と受光素子との間を検出片５５ｄが移動および臨み得るようになっている。そして、検出片５５ｄを位置検出センサ５３で検出した際に、可動部材４４が第１位置に位置するよう検出片５５ｄの位置が設定されている。
【００３３】
(ベース部について)
前記ベース部５４の前面には、図１４および図１５に示す如く、後述する作動軸６６を回転可能に保持する保持部材５６が配設されると共に、該保持部材５６の前面に、前面に複数のＬＥＤ５７ａを実装した発光基板５７が配設される。またベース部５４の前側には、保持部材５６および発光基板５７を覆う光透過性を有する合成樹脂材により形状された光透過装飾体５８が配設される。この光透過装飾体５８は、略矩形状に形成された前覆部５９と、該前覆部５９の右側縁(可動部材４４の第１位置において窓口側の縁)から後方に突出する側覆部６０とから基本的に構成され、前覆部５９における発光基板５７の前側に臨む部位には光拡散加工が施された光拡散部５９ａが設けられ、前側から発光基板５７を視認困難にして、見栄えの低下を防止するようにしてある。また前覆部５９には、左右両側に、上端から下方に凹む凹部５９ｂ,５９ｂが形成されている。更に、ベース部５４には、光透過装飾体５８の下端部を外側から囲むように非光透過性の下部装飾体６１が配設されている。
【００３４】
前記ベース部５４の右側面には、図１４に示す如く、右レール部５４ａがベース部５４の長手方向(図１４では上下方向)に延在するよう設けられると共に、該ベース部５４における前面側の左側端には、左案内溝５４ｂが右レール部５４ａと平行に延在するよう設けられる。そして、右レール部５４ａおよび左案内溝５４ｂで、該ベース部５４に移動可能に配設された後述の可動部６２を案内するようになっている。
【００３５】
(可動部について)
前記ベース部５４の前面側には、該ベース部５４の長手方向に移動可能に可動部６２が配設されている。この可動部６２は、図１４および図１５に示す如く、平板状に形成された前面板６２ａにおける上端縁に後方に延出するよう上壁６２ｂを形成すると共に、該前面板６２ａの左右両端縁に後方に延出するよう側壁６２ｃ,６２ｃを形成することで、後方および下方に開放する箱状に形成されたものであって、該可動部６２によって前記光透過装飾体５８を前側から覆い得るよう構成される。前記上壁６２ｂおよび左側(可動部材４４の第１位置側)の側壁６２ｃには、後述する第２の球排出通路部材７０の上端部側に対応する位置に、可動部６２の後端から前側に切欠かれた切欠部６２ｄが形成され、該第２の球排出通路部材７０に画成されて上方に開口する後述の球入口６９ａが上壁６２ｂで塞がれることがないようにしてある。
【００３６】
前記可動部６２における前面板６２ａの裏面上側には、図１５に示す如く、前記光透過装飾体５８における凹部５９ｂ,５９ｂに対応して一対の取付ボス６２ｅ,６２ｅが、後方に向けて突設されている。各取付ボス６２ｅは、光透過装飾体５８の対応する凹部５９ｂから前記前覆部５９より後方に延出し得るようになっており、両取付ボス６２ｅ,６２ｅの延出端にレール部材６３が取付けられて、該レール部材６３は光透過装飾体５８における前覆部５９の後側に臨むよう構成される。レール部材６３は、図１４および図１５に示す如く、上端部において連結部６３ａで連結されて左右に離間する左レール体６４および右レール体６５で構成される。左レール体６４の裏面には、上下方向に延在する左レール部６４ａが形成され、該左レール部６４ａが、前記ベース部５４に設けた左案内溝５４ｂ内に摺動自在に臨んでいる。また、右レール体６５における左レール体６４を向く左側面には、上下方向に延在する右案内溝６５ａが形成されており、該右案内溝６５ａ内に、前記ベース部５４に設けた右レール部５４ａが摺動自在に臨んでいる。すなわち、ベース部５４に対して可動部６２は、左右両側で案内されて安定して移動するよう構成される。なお、左右のレール体６４,６５の前面には、上下方向に延在する案内リブ８２が夫々突設され、両案内リブ８２,８２の前端が光透過装飾体５８における前覆部５９の後面に摺接可能に当接し、該可動部６２の移動時には案内リブ８２,８２によっても可動部６２が安定して移動するようになっている。
【００３７】
(可動部の作動機構について)
前記ベース部５４に配設した前記保持部材５６に、上下方向(ベース部５４の長手方向)に延在する作動軸６６が回転可能に保持されている。この作動軸６６の下端部(一端部)には、前記取付ベース体４７に設けた弧状ラック部５２に噛合する下歯車６６ａが一体に回転するよう配設されると共に、該作動軸６６の上端部(他端部)には、上かさ歯車６６ｂが一体に回転するよう配設されている。前記光透過装飾体５８の前覆部５９の裏面には、前記光拡散部５９ａから外れた上側に、前記上かさ歯車６６ｂと噛合するかさ歯車部６７ａおよび平歯車部６７ｂを一体に設けた複合歯車６７および該複合歯車６７における平歯車部６７ｂに噛合する作動歯車６８が回転可能に配設される。作動歯車６８は、光透過装飾体５８における側覆部６０が設けられていない側である左側縁に偏って配設されている。また可動部６２に配設されて光透過装飾体５８における前覆部５９の後側に臨む前記左レール体６４には、右レール体６５を向く右側面にラック部６４ｂが上下方向に設けられ(図１４参照)、該ラック部６４ｂが前記作動歯車６８に噛合している。
【００３８】
すなわち、前記可動部材４４が左右方向に揺動する際には、固定側である支持部材４６に設けられる弧状ラック部５２に噛合する下歯車６６ａが回転し、この回転が作動軸６６、上かさ歯車６６ｂおよび複合歯車６７を介して作動歯車６８に伝わり、該作動歯車６８が回転することで、作動歯車６８にラック部６４ｂが噛合するレール部材６３を介して可動部６２を移動させるよう構成される。そして、可動部材４４の揺動に伴って可動部６２は、上壁６２ｂが、ベース部５４における可動基部５５の配設側とは反対側である上端部(第２の球排出通路６９の球入口６９ａが臨む端部)と略同一位置に臨んで前面板６２ａの略全体が前記光透過装飾体５８(可動部材４４)の前面側に重なる待機位置(図５,図６,図７参照)と、該上壁６２ｂがベース部５４の上端部より外方(球入口６９ａの開放方向)に突出する作動位置(図１７,図１８,図１９参照)との間を移動するよう構成される。実施例では、可動部材４４の第１位置において可動部６２は待機位置に臨み、可動部材４４が第１位置から第２位置に向けて移動する際に、可動部６２が待機位置から作動位置に移動することで、可動部材４４から可動部６２が延びるように移動するようになっている。
【００３９】
なお、前記可動部６２の待機位置において、該可動部６２によって前記光透過装飾体５８における光拡散部５９ａの前面側を覆って隠すと共に、該可動部６２の作動位置においては、光拡散部５９ａを前面側に露出するように可動部６２の移動範囲が設定されている(図５,図１７参照)。すなわち、前記図柄表示装置１３の表示部前側に可動部材４４が現われる際に、可動部６２の移動に伴って光拡散部５９ａが前面側に露出し、前記発光基板５７による発光演出が視認可能となる。また可動部６２の待機位置においては、前記レール部材６３を可動部６２に取付けるための取付ボス６２ｅ,６２ｅは、光透過装飾体５８の前覆部５９における対応する凹部５９ｂ,５９ｂに臨むよう構成されており、レール部材６３における左右のレール体６４,６５が前覆部５９と干渉することなく可動部６２は待機位置に臨み得るようになっている。更に、可動部６２の待機位置において可動部材４４が第１位置に移動したときには、該可動部６２に設けた前記切欠部６２ｄによって、可動部６２が前記第２球通路部３９と干渉するのを防止している。
【００４０】
(第２の球排出通路について)
前記可動部材４４におけるベース部５４の裏面には、上下方向に延在する第２の球排出通路６９を画成する第２の球排出通路部材７０が配設されている。第２の球排出通路部材７０は、図１０および図１１に示す如く、ベース部５４の裏面側に位置する第１部材７１と、該第１部材７１に後側から配設される第２部材７２とから構成され、両部材７１,７２間に、上下方向に延在する第２の球排出通路６９が画成される。第１部材７１は、平板状に形成された第１板部７１ａの裏面に、左右方向に離間して左リブ７１ｂおよび右リブ７１ｃが上下方向に延在するように形成されている。また第２部材７２は、平板状に形成された第２板部７２ａの前面に、左右方向に離間して左側壁部７２ｂおよび右側壁部７２ｃが上下方向に延在するように形成されている。第１部材７１における左右のリブ７１ｂ,７１ｃと、第２部材７２における左右の側壁部７２ｂ,７２ｃとは、前後の関係で対称に形成されており、第１部材７１における左右のリブ７１ｂ,７１ｃに第２部材７２における左右の側壁部７２ｂ,７２ｃの延出端を当接した状態で両部材７１,７２を組付けることで、上端部および下端部において開口する第２の球排出通路６９が画成される。なお、第２の球排出通路６９は、図５に示すように左右方向に屈曲するよう形成されて、該第２の球排出通路６９を流下するパチンコ球の勢いを弱め得るようになっている。
【００４１】
前記第２部材７２における左側壁部７２ｂの上部側は、図１０に示すように、第２部材７２の左端縁より右側に偏って設けられ、第２部材７２の右端縁に設けた右側壁部７２ｃおよび第１部材７１とで画成される上方に開口する第２の球排出通路６９の球入口(連通口)６９ａは、第２の球排出通路部材７０の右側に偏っている。また左側壁部７２ｂの上端は、右側壁部７２ｃの上端より下側に位置するよう設定され、後述する球通出切替手段７３における規制部７３ｂの許容位置への変位を許容すると共に、該左側壁部７２ｂの上端で規制部７３ｂを位置規制して許容位置に保持するよう構成される(図２０参照)。
【００４２】
前記第２の球排出通路部材７０の上端部に画成された球入口６９ａは、図５および図２０に示す如く、前記可動部材４４の第１位置において前記第１の球排出通路４１の球出口４１ａに連通可能な位置に臨むよう設定され、該球出口４１ａから通出するパチンコ球を球入口６９ａから第２の球排出通路６９に受入れるよう構成される。また、第２の球排出通路部材７０の下端部に画成されて下方に開口する第２の球排出通路６９の球出口６９ｂは、前記可動部材４４の第１位置において後述する第３の球排出通路７４に連通可能に構成され、該球出口６９ｂから通出するパチンコ球を第３の球排出通路７４に通入し得るようになっている。なお、前記第２部材７２における第２の球排出通路６９を画成する左側壁部７２ｂは一部が切欠かれて第２の球排出通路６９が側方に開口しているが、該開口部分は、前記可動部６２が待機位置に移動した際に、該可動部６２の対応する側の側壁６２ｃにより塞がれて、パチンコ球は第２の球排出通路６９を支障なく流通し得るよう構成してある(図６参照)。
【００４３】
(球通出切替手段について)
前記第１の球排出通路部材４０を構成する第２球通路部３９には、第１の球排出通路部材４０により画成される第１の球排出通路４１における球出口４１ａからのパチンコ球の通出を許容および規制する球通出切替手段７３が配設されている。球通出切替手段７３は、図２０,図２１,図２２および図２３に示す如く、第２球通路部３９における左側面(可動部材４４の第１位置側)に取付けられる取付部７３ａと、該取付部７３ａの下端に折曲形成されて球出口４１ａからのパチンコ球の通出を規制可能な規制部７３ｂと、規制部７３ｂの下面に突設された操作部７３ｃとから基本的に構成される。規制部７３ｂは、該球通出切替手段７３の自由状態では、前記球出口４１ａ内に先端が突出して第１の球排出通路４１からのパチンコ球の通出を規制する規制位置に臨むと共に、操作部７３ｃは、前記可動部材４４の第２位置から第１位置への移動時における前記可動部６２の移動軌道上に臨むよう構成される。すなわち、可動部材４４が第２位置から第１位置へ移動する際に、可動部６２が操作部７３ｃを押すことで、規制部７３ｂが球出口４１ａから退避して第１の球排出通路４１からのパチンコ球の通出を許容する許容位置に変位するよう構成され、この状態で第１の球排出通路４１から第２の球排出通路６９へのパチンコ球の通出が許容される。
【００４４】
また、前記球通出切替手段７３の操作部７３ｃが可動部６２で押されることで球出口４１ａから退避するように変位する前記規制部７３ｂは、図２０に示す如く、前記第２の球排出通路６９を画成する左側壁部７２ｂの上端に当接して位置規制されることで許容位置に保持される。なお、規制部７３ｂが左側壁部７２ｂの上端に当接した状態で、該規制部７３ｂの先端は、第２の球排出通路６９の球入口６９ａに対するパチンコ球の通入を阻害しない位置に臨むよう設定されている。前記球通出切替手段７３は弾性変形可能な板状のバネ材を折曲して形成されており、前記可動部材４４が第１位置から第２位置に向けて移動することで可動部６２が操作部７３ｃから離間した際には、前記規制部７３ｂは弾性復元力によって規制位置に変位するよう構成される。
【００４５】
(第３の球排出通路について)
前記支持部材４６の裏側には、前記第２の球排出通路６９の球出口６９ｂに連通可能な第３の球排出通路７４を画成する第３の球排出通路部材７５が配設される。図１２および図１３に示す如く、第３の球排出通路部材７５は、支持部材４６における前記取付ベース体４７の裏面側に位置する第１通路部材７５ａと、該第１通路部材７５ａに後側から配設される第２通路部材７５ｂとから構成され、両通路部材７５ａ,７５ｂ間に、パチンコ球を通過可能な第３の球排出通路７４が画成される。第３の球排出通路部材７５における支持部材４６の左上端部において画成されて上方に開口する第３の球排出通路７４の球入口７４ａは、前記可動部材４４の第１位置において前記第２の球排出通路６９の球出口６９ｂに連通可能な位置に臨むよう位置決めされており(図６参照)、該球出口６９ｂから通出するパチンコ球を球入口７４ａから第３の球排出通路７４に受入れるよう構成される。また第３の球排出通路部材７５における支持部材４６の右下端部に画成されて下方に開口する第３の球排出通路７４の球出口７４ｂは、前記裏ユニット１９の下対向面部３４ｂに配設された後述する第４の球排出通路部材７６で画成された第４の球排出通路７７の球入口７７ａに連通している。なお、第３の球排出通路７４は、球入口７４ａから下方に所定長さ延在した後に右方に向けて下方傾斜するように斜めに延在し、更に右端部で前方に屈曲した後に下方に開口する球出口７４ｂに至る経路で形成されている。また、第３の球排出通路７４における球入口７４ａから下方に延在する部分の前側は、前記取付ベース体４７で塞がれるようになっている。
【００４６】
(第４の球排出通路について)
前記裏ユニット１９における下対向面部３４ｂには、図４および図５に示す如く、該下対向面部３４ｂとの間に第４の球排出通路７７を画成する第４の球排出通路部材７６が前側から配設されている。第４の球排出通路部材７６の上端部には、前記第４の球排出通路７７の球入口７７ａが上方に開口し、該球入口７７ａが第３の球排出通路７４の球出口７４ｂと連通するよう構成される。また第４の球排出通路部材７６の下端部には、第４の球排出通路７７の球出口７７ｂが下方に開口し、第４の球排出通路７７を流通したパチンコ球は、該球出口７７ｂから遊技盤１７の外部(球回収部)に排出されるよう構成される。なお、第４の球排出通路部材７６は、下対向面部３４ｂに対する平板状の取付板の前面に、第４の球排出通路７７を画成する壁部を突設したものであって、裏ユニット１９の前側に前記板部材１８を配設することで、第４の球排出通路７７の前面が塞がれるようになっている。
【００４７】
(保持手段について)
前記可動部材４４に配設される前記第２の球排出通路部材７０における第２部材７２には、左端部側に永久磁石(磁石)７８が配設される。また、前記裏ユニット１９における左対向面部３４ｃには、可動部材４４が第１位置に至った際に、前記永久磁石７８と対向する部位に臨むようにして金属板等からなる磁着部材７９が配設されており、可動部材４４が第２位置から第１位置に移動した際には、永久磁石７８が磁着部材７９に磁着して、可動部材４４を第１位置に保持し得るよう構成してある。すなわち、実施例では永久磁石７８と磁着部材７９とから、可動部材４４を第１位置に保持する保持手段が構成される。なお、可動部材４４側に金属板等からなる磁着部材を配設すると共に裏ユニット１９側に永久磁石を配設したり、可動部材４４側および裏ユニット１９側の両方に永久磁石を配設してもよく、両方を永久磁石とした場合は一方が磁着部材となる。実施例では、第２部材７２に配設される永久磁石７８は、前記可動部６２が待機位置に臨む状態で前記左側の側壁６２ｃで覆われる位置に臨んでいるが、該磁石７８は、側壁６２ｃを挟んで磁着部材７９に近接した際に該磁着部材７９に磁着し得る磁力に設定されている。
【００４８】
(制御手段について)
前記パチンコ機１０を制御する前記制御手段３１について、主に前記可動演出装置３６を作動制御する関連構成のみについて説明する。制御手段３１には、図２４に示す如く、前記第２の特別入賞装置２９における開閉部材２９ｂを作動する駆動手段３０、可動演出装置３６の可動部材４４を作動する駆動モータ５０、可動部材４４の第１位置を検出する位置検出センサ５３が接続されている。
【００４９】
前記制御手段３１は、前記開閉部材２９ｂにより入賞口２９ａが閉塞されている条件で、前記駆動モータ５０を駆動して可動部材４４を、第１位置と第２位置との間で移動させる演出を行なうことを許容するよう設定される。また制御手段３１は、開閉部材２９ｂにより入賞口２９ａが開放された際には、可動部材４４の位置に応じて第１位置に保持または第２位置から第１位置に移動して該第１位置に保持するように駆動モータ５０を駆動制御するよう設定されている。すなわち、前記位置検出センサ５３の非検出状態では、可動部材４４を第１位置に戻すように駆動モータ５０を制御し、該位置検出センサ５３の検知状態では、可動部材４４を第１位置に保持するよう駆動モータ５０を制御する。
【００５０】
〔実施例の作用〕
次に、前述した実施例に係るパチンコ機の作用につき説明する。
【００５１】
前記遊技領域１８ａに打ち出されたパチンコ球は、前記装飾部材２６の外周囲を流下し、該パチンコ球が前記球導入部２８に通入すると、該パチンコ球は前記ステージ２７に通出され、該ステージ２７を左右に転動した後に遊技領域１８ａに排出され、このパチンコ球は始動入賞装置２３や普通入賞装置２５等に入賞可能となる。そして、始動入賞装置２３にパチンコ球が入賞すると、前記図柄表示装置１３の図柄が変動開始され、所要の図柄組合わせゲームが展開される。前記図柄表示装置１３で展開される図柄変動ゲームの結果、図柄表示装置１３に所定の図柄組合わせで図柄が停止表示されたときに大当りが発生する。そして、大当りが発生すると、図柄表示装置１３に表示された図柄組み合わせに応じて、前記遊技盤１７の下方に設けられた第１の特別入賞装置２４および前記装飾部材２６の上部左側位置に設けられた第２の特別入賞装置２９の何れかの入賞口２４ａ,２９ａが開放される。このように、大当りの発生時に入賞口２４ａ,２９ａが開放する特別入賞装置２４,２９を２つ設けたことで、遊技演出の多様化が図られる。
【００５２】
一方、前記図柄表示装置１３で展開される図柄変動ゲームの演出に応じて、前記制御手段３１の制御下に、前記可動演出装置３６の可動部材４４を作動させて動的な演出により遊技の興趣が高められる。すなわち、前記駆動モータ５０が制御手段３１の制御下に駆動されると、前記従動ギヤ５１にギヤ部５５ｂが噛合する前記可動基部５５と共に可動部材４４が第１位置から第２位置に移動することで、図１６に示す如く、該可動部材４４が図柄表示装置１３の表示部前側に現われ、遊技の興趣が向上する。しかも、可動演出装置３６では、可動部材４４が第１位置から第２位置に移動する際に、該可動部材４４に配設した下歯車６６ａが、前記支持部材４６の弧状ラック部５２に噛合して回転することで、前記作動軸６６、上かさ歯車６６ｂおよび複合歯車６７を介して作動歯車６８が回転し、該作動歯車６８にラック部６４ｂが噛合する可動部６２は、作動歯車６８とラック部６４ｂとの噛合作用によって可動部材４４に対して延出する方向に移動する。すなわち、前記板部材１８や装飾部材２６で隠れていた可動部材４４が表示部前側に現われる際に、可動部６２が可動部材４４に対して延出するように移動することで、インパクトのある演出を行なうことができる。また、可動部６２は、作動部材４４の移動に連動して移動するよう構成したから、該可動部６２を移動するための独立した駆動源を必要とせず、構成を簡略化し得る。
【００５３】
前記可動部６２が待機位置から作動位置に移動することで、図１６および図１７に示す如く、前記可動部材４４における光透過装飾体５８の光拡散部５９ａが前側に露出し、該光拡散部５９ａの裏側で発光基板５７のＬＥＤ５７ａを発光したり点滅することで、発光による演出により遊技の興趣を向上し得る。また、可動部材４４が図柄表示装置１３の表示部前側に現われる際に、可動部６２が可動部材４４の上端部から延出する作動位置に移動することで、前記第２の球排出通路６９の球入口６９ａは可動部６２により前側から視認するのが困難となる。すなわち、遊技者に球入口６９ａが見えてしまうことにより可動部材４４の装飾性が損なわれるのを防止することができ、遊技者の興趣を低下させることはない。
【００５４】
なお、前記可動部６２が作動位置に移動することで前側に露出する光透過装飾体５８の光拡散部５９ａは、ＬＥＤ５７ａからの光を拡散するから、該光拡散部５９ａを透して裏側の発光基板５７が遊技者から容易に視認されることはなく、見栄えの低下は抑制される。
【００５５】
また、前記可動部材４４が第２位置から第１位置に移動する際には、前記可動部６２が光拡散部５９ａを覆うように移動することで、可動部６２を含めた可動部材４４の長さは短かくなる。すなわち、可動部材４４を第１位置において収容する裏ユニット１９と板部材１８とで画成される空間の上下方向の寸法を短かくすることができ、省スペース化を図り得る。
【００５６】
前述した大当りの発生により前記第２の特別入賞装置２９の開閉部材２９ｂが入賞口２９ａを開放すると、遊技盤１７の遊技領域１８ａに打ち出されたパチンコ球が該第２の特別入賞装置２９の入賞口２９ａに入賞し得るようになる。第２の特別入賞装置２９の入賞口２９ａに入賞したパチンコ球が前記球検出センサに検出されると、前記上球受け皿１６や下球受け皿１５に所定数のパチンコ球が賞球として払い出される。また入賞口２９ａに入賞したパチンコ球は、前記第１の球排出通路４１を通入し、該第１の球排出通路４１を左方に流れる。
【００５７】
前記第２の特別入賞装置２９の開閉部材２９ｂが開放したときには、前記制御手段３１により可動演出装置３６の駆動モータ５０が、前記位置検出センサ５３の検出状態に応じて駆動制御される。すなわち、前記位置検出センサ５３が非検出状態では、前記可動部材４４は第１位置より第２位置側に位置しており、制御手段３１は、該可動部材４４を第１位置に移動すると共に第１位置に保持するように駆動モータ５０を駆動制御する。また、前記位置検出センサ５３が検出状態では、可動部材４４は第１位置に位置しており、この場合に制御手段３１は、駆動モータ５０を駆動することなく可動部材４４を第１位置に保持する。このように、第２の特別入賞装置２９の開閉部材２９ｂを入賞口２９ａを開放したときには、前記可動部材４４は第１位置に保持されて、該可動部材４４に設けた第２の球排出通路６９における上方に開口する球入口６９ａは、前記第１の球排出通路４１の球出口４１ａに連通する位置に臨んでいる(図５,図６,図７)。また、可動部材４４の第１位置では、第２の球排出通路６９における下方に開口する球出口６９ｂは、前記第３の球排出通路７４の球入口７４ａに連通する位置に臨んでいる。従って、前記第１の球排出通路４１を流通して球出口４１ａから通出したパチンコ球は、可動部材４４に設けた第２の球排出通路６９に球入口６９ａから通入し、該第２の球排出通路６９内を流下する。そして、第２の球排出通路６９の球出口６９ｂから通出したパチンコ球は、第３の球排出通路７４および前記第４の球排出通路７７を介して遊技盤１７の外部に確実に排出される。
【００５８】
そして、前記第２の特別入賞装置２９の開閉部材２９ｂにより入賞口２９ａが閉鎖された条件で、前記制御手段３１は、前記可動演出装置３６による可動部材４４の動作による演出を許容する。
【００５９】
なお、前記可動部材４４が第１位置から第２位置に移動することで、図２１に示す如く、前記球通出切替手段７３の規制部７３ｂが規制位置に変位し、第１の球排出通路４１の球出口４１ａからのパチンコ球の通出は規制された状態となる。従って、第２の特別入賞装置２９の開閉部材２９ｂにより入賞口２９ａが開放され、該入賞口２９ａに通入したパチンコ球が第１の球排出通路４１の球出口４１ａに至るまでに可動部材４４が第１位置に戻っていなくても、該パチンコ球の球出口４１ａからの通出は規制部７３ｂにより規制され、パチンコ球が遊技盤１７の外部へ排出されなくなるのは防止される。そして、可動部材４４が第１位置に到来する際には、図２０に示すように、前記可動部６２により球通出切替手段７３の操作部７３ｃが押されて規制部７３ｂが許容位置に変位し、可動部材４４の第２の球排出通路６９の球入口６９ａが第１の球排出通路４１の球出口４１ａに連通したもとで該球出口４１ａからのパチンコ球の通出が許容される。すなわち、規制部７３ｂで通出規制されていたパチンコ球は、第２の球排出通路６９に確実に通入し、前記第３および第４の球排出通路７４,７７を介して確実に遊技盤１７の外部に排出される。
【００６０】
前記可動部材４４が第２位置から第１位置に移動する際には、前記可動基部５５に設けた検出片５５ｄが、前記支持部材４６に配設した位置検出センサ５３で検出されることで、該可動部材４４が第１位置に到来したことが確認され、該位置検出センサ５３の検出信号に基づいて前記制御手段３１が駆動モータ５０を停止制御することで、可動部材４４は正確に第１位置に保持される。また、可動部材４４が第１位置に到来した際には、該可動部材４４に配設されている永久磁石７８が、裏ユニット１９の対応位置に配設されている磁着部材７９に磁着し、可動部材４４は第１位置に確実に保持される。すなわち、遊技盤１７の振動等によって可動部材４４が第１位置から不用意に位置ズレするのは防止され、前記第１の球排出通路４１から第２の球排出通路６９へパチンコ球を円滑に通入させることができ、両通路４１,６９間での球詰まりの発生を防止し得る。
【００６１】
実施例では、第２の特別入賞装置２９の入賞口２９ａに連通する第１の球排出通路４１に連通可能な第２の球排出通路６９を可動部材４４に設けているから、第２の特別入賞装置２９の入賞口２９ａに入賞したパチンコ球を排出する通路との関係で可動部材４４の配置位置が制限されることはなく、該可動部材４４の配置の自由度が格段に向上する。また入賞口２９ａに入賞した球排出通路を遊技盤１７に別途設ける必要はないから、可動部材４４の大型化を図ることができ、インパクトのある演出を行ない得る。
【００６２】
前記第２の球排出通路６９を画成する第２の球排出通路部材７０における第２部材７２において、左側壁部７２ｂを切欠いて第２の球排出通路６９を側方に開口するよう構成し、該開口を可動部材４４に対して移動する可動部６２の側壁６２ｃで閉塞するよう構成してある。すなわち、第２部材７２の側壁の厚み分だけ可動部６２の幅寸法を小さくすることができ、裏ユニット１９と板部材１８との間に画成される空間に可動部材４４を余裕を持って収容することができる。
【００６３】
(第１の別実施例)
図２５は、第１の別実施例に係るパチンコ機の要部を概略的に示すものであって、基本的な構成は前述した実施例と同一であるので、異なる部分についてのみ説明する。すなわち、図２５に示す第１の別実施例では、前記第１の球排出通路４１における上流部に、前記第２の特別入賞装置２９の入賞口２９ａから第１の球排出通路４１に通入したパチンコ球を検出する第１の球検出手段８０が配設される。また、第３の球排出通路７４の球入口７４ａより下流側に、該第３の球排出通路７４に通入したパチンコ球を検出する第２の球検出手段８１が配設される。第１の球検出手段８０および第２の球検出手段８１からの検出信号は、何れも制御手段３１に出力されるようになっている。
【００６４】
第１の別実施例に係る制御手段３１は、前記第２の球検出手段８１が検出したパチンコ球数が前記第１の球検出手段８０が検出したパチンコ球数に一致した場合に、前記可動部材４４の第１位置から第２位置への動作を許容し、該制御手段３１の制御下に前記駆動モータ５０を駆動することで、可動部材４４による動作演出を行ない得るよう構成される。但し、第２の球検出手段８１が検出したパチンコ球数が第１の球検出手段８０が検出したパチンコ球数に一致しない場合には、該可動部材４４を第１位置に保持するよう制御手段３１が駆動モータ５０を駆動制御するよう設定される。すなわち、第２の球検出手段８１が検出したパチンコ球数が第１の球検出手段８０が検出したパチンコ球数に一致しない場合は、何等かの原因によって第１の球排出通路４１、第２の球排出通路６９または第３の球排出通路７４内にパチンコ球が滞留していることを意味する。このときに可動部材４４が第２位置に移動し、かつ前記球通出切替手段７３によるパチンコ球の通出規制が正常になされない場合は、滞留の原因が解消したときにはパチンコ球が第１の球排出通路４１から通出されてしまい、該パチンコ球が遊技盤１７の外部に排出されないおそれがある。しかるに、第１の別実施例では、前述したように第２の球検出手段８１が検出したパチンコ球数が第１の球検出手段８０が検出したパチンコ球数に一致しない場合は、可動部材４４を第１位置に保持するよう駆動モータ５０を制御するようにしたから、第１の球排出通路４１や第２の球排出通路６９内にパチンコ球が滞留したまま可動部材４４が動作されるのを防止することができ、入賞口２９ａに入賞した全てのパチンコ球を遊技盤１７の外部へ確実に排出することができる。
【００６５】
なお、第１の別実施例のように可動部材４４の動作を制御することで、前記球通出切替手段７３を省略することができる。また、第２の特別入賞装置２９の入賞口２９ａに通入したパチンコ球を検出する第１の球検出手段８０は、入賞口２９ａに入賞したパチンコ球を検出して賞球を払い出すべく機能する球検出センサを兼用することができ、この場合は部品点数の増加を最少限に抑えることができる。
【００６６】
(第２の別実施例)
図２６は、第２の別実施例に係るパチンコ機の要部を概略的に示すものであって、基本的な構成は前述した第１の別実施例と同一であって、第２の球検出手段８１の配設位置が異なっている。
【００６７】
すなわち、第１の別実施例では、第３の球排出通路７４の球入口７４ａより下流側に、第３の球排出通路７４に通入した(第１の球排出通路４１を通出した)パチンコ球を検出する第２の球検出手段８１を配設したが、第２の別実施例では、第２の球検出手段８１は、第１の球排出通路４１の球出口４１ａに対応する位置に設けられている。また、第１の球検出手段８０および第２の球検出手段８１が接続される制御手段３１には、第２の球検出手段８１で検出したパチンコ球が第２の球排出通路６９を通って第３の球排出通路７４に通入するまでに要する時間が遅延時間として設定される。そして、制御手段３１は、第２の球検出手段８１が検出したパチンコ球数が、前記第１の球検出手段８０が検出したパチンコ球数の一致したときにおいて、該第１の球検出手段８０が検出したパチンコ球数と同数となるパチンコ球を第２の球検出手段８１が検出した時点から前記遅延時間の経過後に、前記可動部材４４の第１位置から第２位置への動作を許容するよう設定されている。これにより、第２の別実施例においても、第１の球検出手段８０が検出したパチンコ球数と同数のパチンコ球が第２の球排出通路６９を通過した後に可動部材４４の動作が許容されるので、第１の別実施例と同様に第２の特別入賞装置２９の入賞口２９ａに入賞した全てのパチンコ球を、遊技盤１７の外部へ確実に排出することができる。
【００６８】
(変更例)
本願は前述した実施例の構成に限定されるものではなく、その他の構成を適宜に採用することができる。
(1) 実施例では、遊技盤を木製の板部材と裏ユニットとから構成したが、アクリル等の透明な材料で形成した透明板と裏ユニットとから構成したものであってもよい。
(2) 実施例では、第１の球排出通路を第１球通路部と第２球通路部との２つの部材で画成するよう構成したが、１つの部材で第１の球排出通路を画成するものであってもよい。
(3) 実施例では、可動部材に設けた第２の球排出通路を、可動部材を回転可能に支持する支持部材に設けた第３の球排出通路を介して、裏ユニットに設けた第４の球排出通路に連通するよう構成したが、第２の球排出通路を第４の球排出通路に直接連通したり、第２の球排出通路から遊技盤の外部に直接パチンコ球を排出する構成を採用し得る。
(4) 実施例では、装飾部材の左上部に入賞口を有する入賞装置(第２の特別入賞装置)を設けると共に、該入賞口に通入したパチンコ球を遊技盤の外部に排出する第２の球排出通路を設けた可動部材を装飾部材の左側に配設したが、入賞口を有する入賞装置および第２の球排出通路を設けた可動部材の配設位置は任意に設定可能である。また、第１の球排出通路が連通する入賞口は、羽根部材を備える始動入賞装置における下側の始動入賞口等、開閉部材によって開閉される各種形態の入賞口を採用可能である。
(5) 実施例では、回転可能に支持した可動部材を駆動モータを備えた駆動機構により揺動するよう構成したが、駆動手段としてはソレノイド等のリニアアクチュエータを用いることができ、また可動部材を直線的に移動可能に配設し、該可動部材をモータやリニアアクチュエータを駆動源としてラック・ピニオン機構、その他の機構を用いて移動する構成を採用し得る。
(6) 実施例では、第１の球排出通路からのパチンコ球の通出を許容および規制する球通出切替手段を、可動部材によって直接作動するよう構成したが、該可動部材の位置を検知手段で検知し、該検知信号に基づいて駆動手段で球通出切替手段を許容位置と規制位置とに移動する構成を採用し得る。例えば、検知手段が可動部材の第１位置を検知している状態では球通出切替手段を許容位置に保持するように駆動手段を制御手段で制御し、可動部材が第１位置から第２位置に移動することで検知手段が可動部材の第１位置を検知しなくなった状態では、球通出切替手段を規制位置に移動するように駆動手段を制御手段で制御するよう構成する。
(7) 実施例では、第１の球排出通路からのパチンコ球の通出を規制する球通出切替手段を設けた場合で説明したが、該球通出切替手段を省略することができる。
(8) 第１の別実施例では、第２の球検出手段を第３の球排出通路の球入口より下流側に設けたが、該第２の球検出手段は、第２の球排出通路の球出口に対応する位置に設けてもよい。また、第２の別実施例では、第２の球検出手段を第１の球排出通路の球出口に対応する位置に設けたが、該第２の球検出手段は、第２の球排出通路の球入口に対応する位置に設けてもよい。
(9) 遊技機としては、パチンコ機に限られるものではなく、アレンジボール機やパチンコ球を用いたスロットマシン等、その他各種の遊技機であってもよい。
【００６９】
なお、本発明の遊技機に関しては、以下の構成を限定することが可能である。
〔付記１〕
前記可動部材(44)は、前記第２の球排出通路(69)が形成されたベース部(54)と、該ベース部(54)の前面側に設けられ、該第２の球排出通路(69)における前記第１の球排出通路(41)との連通口(69a)の開放方向に移動可能な可動部(62)とを備え、
前記可動部材(44)が第１位置にある状態では、前記可動部(62)が前記ベース部(54)の前面側に重なるよう位置し、該第１位置から第２位置に可動部材(44)を移動した際に、該可動部(62)が前記第２の球排出通路(69)における連通口(69a)の開放方向に移動するよう構成された請求項１〜４の何れか一項に記載の遊技機。
【００７０】
付記１の発明によれば、可動部材を第１位置から第２位置に移動させた際に、該可動部材を構成するベース部に対して可動部が第２の球排出通路における連通口の開放方向に移動することで、遊技者側から第２の球排出通路の連通口を視認されるのを防止でき、可動部材による装飾性が損なわれるのを防止し得る。
【符号の説明】
【００７１】
１７  遊技盤
１８ａ  遊技領域
２９  第２の特別入賞装置(入賞装置)
２９ａ  入賞口
２９ｂ  開閉部材
３１  制御手段
４１  第１の球排出通路
４４  可動部材
５０  駆動モータ(駆動手段)
６９  第２の球排出通路
７３  球通出切替手段
７８  永久磁石(保持手段)
７９  磁着部材(保持手段)
８０  第１の球検出手段
８１  第２の球検出手段
【図１】
0005445857.tif 000002
【図２】
0005445857.tif 000003
【図３】
0005445857.tif 000004
【図４】
0005445857.tif 000005
【図５】
0005445857.tif 000006
【図６】
0005445857.tif 000007
【図７】
0005445857.tif 000008
【図８】
0005445857.tif 000009
【図９】
0005445857.tif 000010
【図１０】
0005445857.tif 000011
【図１１】
0005445857.tif 000012
【図１２】
0005445857.tif 000013
【図１３】
0005445857.tif 000014
【図１４】
0005445857.tif 000015
【図１５】
0005445857.tif 000016
【図１６】
0005445857.tif 000017
【図１７】
0005445857.tif 000018
【図１８】
0005445857.tif 000019
【図１９】
0005445857.tif 000020
【図２０】
0005445857.tif 000021
【図２１】
0005445857.tif 000022
【図２２】
0005445857.tif 000023
【図２３】
0005445857.tif 000024
【図２４】
0005445857.tif 000025
【図２５】
0005445857.tif 000026
【図２６】
0005445857.tif 000027